(57)【要約】【課題】エレベータのタッチパネル式のディスプレイ装置の操作面を清潔にする。【解決手段】実施形態によれば、エレベータは、操作面への接触により、呼び登録のための入力操作を受け付ける、タッチパネル式のディスプレイと、前記ディスプレイの操作面を加熱することで、当該ディスプレイの操作面を殺菌する殺菌手段とをもつ。【選択図】      図２
2013245090.tif 000002
【特許請求の範囲】
【請求項１】
操作面への接触により、呼び登録のための入力操作を受け付ける、タッチパネル式のディスプレイと、
前記ディスプレイの操作面を加熱することで、当該ディスプレイの操作面を殺菌する殺菌手段と
を備えたことを特徴とするエレベータ。
【請求項２】
前記殺菌手段は、
前記乗りかごにかかる呼び登録がなくなった場合に、前記ディスプレイの操作面を加熱することで、当該ディスプレイの操作面を殺菌する
ことを特徴とする請求項１に記載のエレベータ。
【請求項３】
前記ディスプレイの操作面への接触による操作回数をカウントするカウント手段をさらに備え、
前記殺菌手段は、
前記乗りかごにかかる呼び登録がなくなった場合で、かつ、前記カウント手段によりカウントした操作回数が、前記ディスプレイの操作面の殺菌を要する所定の回数となった場合に、前記ディスプレイの操作面を加熱することで、前記ディスプレイの操作面を殺菌する
ことを特徴とする請求項１に記載のエレベータ。
【請求項４】
前記カウント手段は、
前記殺菌手段による前回の殺菌後からの、前記ディスプレイの操作面への接触による操作回数をカウントし、
前記殺菌手段は、
前記乗りかごにかかる呼び登録がなくなった場合で、かつ、前記カウント手段により前記殺菌手段による前回の殺菌後からカウントした操作回数が、前記ディスプレイの操作面の殺菌を要する所定の回数となった場合に、前記ディスプレイの操作面を加熱することで、前記ディスプレイの操作面を殺菌する
ことを特徴とする請求項３に記載のエレベータ。
【請求項５】
前記殺菌手段による前回の殺菌後からの経過時間を計時する計時手段をさらに備え、
前記殺菌手段は、
前記乗りかごにかかる呼び登録がなくなった場合で、かつ、前記計時手段により計時した時間が、前記ディスプレイの操作面の殺菌を要する所定の時間となった場合に、前記ディスプレイの操作面を加熱することで、前記ディスプレイの操作面を殺菌する
ことを特徴とする請求項１に記載のエレベータ。
【請求項６】
前記殺菌手段は、
前記ディスプレイの操作面の殺菌開始後に、前記乗りかごにかかる呼び登録が新たになされた場合に、前記ディスプレイの操作面の殺菌を中断する
ことを特徴とする請求項１に記載のエレベータ。
【請求項７】
前記殺菌手段による前記ディスプレイの操作面の殺菌終了後に当該ディスプレイの操作面の温度が、前記操作面への接触による操作に支障のない温度まで低下したか否かを判定する判定手段をさらに備え、
当該ディスプレイの操作面の温度が、前記操作面への接触による操作に支障のない温度まで低下したと前記判定手段により判定した場合に、通常運転に復帰する
ことを特徴とする請求項１に記載のエレベータ。
【請求項８】
操作面への接触により、呼び登録のための入力操作を受け付ける、タッチパネル式のディスプレイと、
前記ディスプレイの操作面を覆うように位置し、前記ディスプレイの操作面が認識可能な透明度を有して巻取り可能なシートと、
前記シートへの接触を介した、前記タッチパネルの操作面への接触により、前記ディスプレイが入力操作を受け付けた場合に前記シートを所定方向に巻き取ることで、前記シートにおける清潔な部分が前記ディスプレイの操作面を覆うように位置させる第１の巻き取り手段と、
前記シートを加熱する事で当該シートを殺菌する殺菌手段と、
前記第１の巻き取り手段により巻き取られたシートを前記殺菌手段により殺菌しながら前記所定方向と逆方向に巻き取ることで、この巻き取ったシートを殺菌された状態で前記ディスプレイの操作面を再び覆うように位置させる第２の巻取り手段と
を備えたことを特徴とするエレベータ。
【請求項９】
前記第２の巻取り手段は、
前記シート全体に対する前記第１の巻き取り手段による巻取り量が、前記シートの再利用のための前記所定方向と逆方向の巻取りを要する所定の巻取り量となった場合に前記シートを前記所定方向と逆方向に巻き取る
ことを特徴とする請求項８に記載のエレベータ。
【請求項１０】
前記第２の巻取り手段は、
前記シート全体に対する前記第１の巻き取り手段による巻取り量が、前記シートの再利用のための前記所定方向と逆方向の巻取りを要する所定の巻取り量となった場合で、かつ、前記乗りかごの呼び登録がなくなった場合に、前記シートを前記所定方向と逆方向に巻き取る
ことを特徴とする請求項９に記載のエレベータ。
【発明の詳細な説明】
【技術分野】
【０００１】
本発明の実施形態は、タッチパネル式のディスプレイ装置を有するエレベータに関する。
【背景技術】
【０００２】
乗り場や乗りかご内に表示装置が設けられるエレベータがある。これらは、乗客への案内表示を行なうためのものであり、従来はＬＥＤを用いたドットマトリックス表示装置や押しボタンなどが主流をなしていた。
【０００３】
しかしながら、近年は、前述した案内表示だけでなく、乗客による呼び登録のための操作を画面上で受け付けるための、タッチパネル式の液晶ディスプレイ装置を乗り場や乗りかご内に設けたエレベータが増加している。
【先行技術文献】
【特許文献】
【０００４】
【特許文献１】特開２００７−８４２７７号公報
【発明の概要】
【発明が解決しようとする課題】
【０００５】
前述したタッチパネル式の液晶ディスプレイ装置の操作面は、エレベータの公共性の高さゆえに、不特定多数の人が触れることになる。このため、タッチパネルの操作面には、総回数が増えるにつれて雑菌などが多数付着する。この結果、衛生面に気を使う乗客にとって、操作にかかる不快感を与える事になる。
【０００６】
また、タッチパネルの操作面に指で触れないようにするために爪先で触ろうとしても、タッチパネルのセンシング方式によっては、爪先では反応しないことがあり、タッチパネルの操作面に指で触れることを避けずに操作を行なうことは困難である。
【０００７】
本発明が解決しようとする課題は、タッチパネル式のディスプレイ装置の操作面を清潔にすることが可能になるエレベータを提供することにある。
【課題を解決するための手段】
【０００８】
実施形態によれば、エレベータは、操作面への接触により、呼び登録のための入力操作を受け付ける、タッチパネル式のディスプレイと、前記ディスプレイの操作面を加熱することで、当該ディスプレイの操作面を殺菌する殺菌手段とをもつ。
【０００９】
また、実施形態によれば、エレベータは、操作面への接触により、呼び登録のための入力操作を受け付ける、タッチパネル式のディスプレイと、前記ディスプレイの操作面を覆うように位置し、前記ディスプレイの操作面が認識可能な透明度を有して巻取り可能なシートと、前記シートへの接触を介した、前記タッチパネルの操作面への接触により、前記ディスプレイが入力操作を受け付けた場合に前記シートを所定方向に巻き取ることで、前記シートにおける清潔な部分が前記ディスプレイの操作面を覆うように位置させる第１の巻き取り手段と、前記シートを加熱する事で当該シートを殺菌する殺菌手段と、前記第１の巻き取り手段により巻き取られたシートを前記殺菌手段により殺菌しながら前記所定方向と逆方向に巻き取ることで、この巻き取ったシートを殺菌された状態で前記ディスプレイの操作面を再び覆うように位置させる第２の巻取り手段とをもつ。
【図面の簡単な説明】
【００１０】
【図１】第１の実施形態におけるエレベータの構成例を示す概略図。
【図２】第１の実施形態におけるエレベータの表示装置の構成例を示す図。
【図３】第１の実施形態におけるエレベータのエレベータ制御装置の機能構成例を示すブロック図。
【図４】第１の実施形態におけるエレベータによる表示装置のタッチパネルディスプレイの殺菌のための動作手順の一例を示すフローチャート。
【図５】第１の実施形態におけるエレベータによる表示装置のタッチパネルディスプレイの殺菌済みの報知のための表示例を示す図。
【図６】第１の実施形態の変形例におけるエレベータのエレベータ制御装置の機能構成例を示すブロック図。
【図７】第１の実施形態の変形例におけるエレベータによる表示装置のタッチパネルディスプレイの殺菌のための動作手順の一例を示すフローチャート。
【図８】第２の実施形態におけるエレベータの表示装置の構成例を示す図。
【図９】第２の実施形態におけるエレベータのエレベータ制御装置の機能構成例を示すブロック図。
【図１０】第２の実施形態におけるエレベータによる表示装置のタッチパネルディスプレイ上のシートの清掃のための動作手順の一例を示すフローチャート。
【図１１】第２の実施形態におけるエレベータによる表示装置のタッチパネルディスプレイ上のシートの入れ替え済みの報知のための表示例を示す図。
【図１２】第２の実施形態におけるエレベータによる表示装置のタッチパネルディスプレイ上のシートの代替え指示の報知のための表示例を示す図。
【発明を実施するための形態】
【００１１】
以下、実施の形態について、図面を参照して説明する。  
（第１の実施形態）
まず、第１の実施形態について説明する。  
図１は、第１の実施形態におけるエレベータの構成例を示す概略図である。  
図１に示すように、第１の実施形態におけるエレベータは、エレベータ制御装置１、巻上機２、乗りかご３、釣合い重り４、かごドア５、表示装置６を備える。
【００１２】
乗りかご３は、巻上機２の回転軸に設けられたシーブに巻き掛けられたメインロープを介して吊り合い重り４と連結される。乗りかご３は、巻上機２の駆動によるシーブの回転に伴い、シーブとメインロープの間の摩擦力により吊り合い重り４とともに昇降路内を互いに上下反対方向に昇降する。  
エレベータ制御装置１は、巻上機２を駆動することでシーブを回転させる。エレベータ制御装置１は、巻上機２への駆動指令を行なうなどして乗りかご４の昇降を制御する。
【００１３】
また、乗りかご３には、かごドア５が設置されるほか、乗りかご３内に表示装置６が設置される。この表示装置６は、エレベータ制御装置１と接続されており、エレベータ制御装置１からの指令に基づいて乗りかご３内にエレベータのかご位置や運転方向といった運転状況や通過階の情報を通知したり、管制運転時に管制運転に関する情報を表示したりする。
【００１４】
図２は、第１の実施形態におけるエレベータの表示装置の構成例を示す図である。  
図２に示すように、表示装置６は、タッチパネル機能を備えた表示パネルであるフラットパネルディスプレイ６１を有する。具体的には、このフラットパネルディスプレイ６１は、液晶パネルや有機ＥＬディスプレイなどが該当する。
【００１５】
また、フラットパネルディスプレイ６１の表面には図示しないタッチパネルセンサが設置される。このタッチパネルセンサの方式は、アナログ抵抗膜方式や静電容量方式などがあるが、特に限定されない。
【００１６】
また、フラットパネルディスプレイ６１の操作面ガラス上には、当該操作面を殺菌するための微細な殺菌装置６２が設けられている。この殺菌装置６２は、加熱処理によって操作面ガラス上に付着した細菌を殺菌する。
【００１７】
また、フラットパネルディスプレイ６１の操作面ガラス上には、行先階登録、いわゆるかご呼び登録のための操作画面が表示され、この画面上の乗客の所望の階床のかご呼びの入力操作を受け付け、この入力操作にしたがって、エレベータ制御装置１による行先階登録がなされる。
【００１８】
また、図示されていないが、各階床の乗り場にも、表示装置６と同様の乗り場表示装置が設置される。この場合、乗り場表示装置は、エレベータの運転状況や通過階の情報を通知する。
【００１９】
また、エレベータが乗り場での行先階登録を受け付ける機能を有する場合には、この乗り場表示装置に行先階登録のための操作画面を表示し、この画面上の所望の階床の行先階登録の入力操作を受け付け、この入力操作にしたがって、エレベータ制御装置１による行先階登録がなされる。
【００２０】
このようにタッチパネルセンサが設置されるフラットパネルディスプレイ６１を有する表示装置６は、乗客にとって便利な反面、フラットパネルディスプレイ６１の操作面ガラス上に、不特定多数の人が何度も触れる事になるため、細菌などが操作面に付着し不衛生である。
【００２１】
このため、本実施形態では、フラットパネルディスプレイ６１の操作面ガラスを必要に応じて殺菌装置６２により殺菌する事で、フラットパネルディスプレイ６１の操作面ガラスを清潔に保つことを特徴としている。
【００２２】
図３は、第１の実施形態におけるエレベータのエレベータ制御装置の機能構成例を示すブロック図である。  
図３に示すように、本実施形態におけるエレベータ制御装置１は、装置全体の動作を司る制御部１１、記憶装置１２、通信インタフェース１３、運転制御部１４、操作回数カウント部１５、殺菌要否判定部１６、殺菌制御処理部１７、計時部１８、表示制御部１９を有する。
【００２３】
記憶装置１２は、不揮発性メモリなどの記憶媒体であり、通信インタフェース１３、運転制御部１４、操作回数カウント部１５、殺菌要否判定部１６、殺菌制御処理部１７、計時部１８、表示制御部１９による処理動作のためのプログラムを記憶する。
【００２４】
通信インタフェース１３は、巻上機２に駆動信号を送ったり、表示装置６との間の通信処理を行なったりする。  
運転制御部１４は、呼び登録に応じて巻上機２を駆動させて乗りかご３の運転制御を行なう。操作回数カウント部１５は、表示装置６のフラットパネルディスプレイ６１が操作される毎に、操作回数のカウント値を増加させた値を記憶装置１２に記憶する事で、フラットパネルディスプレイ６１の操作回数をカウントする。
【００２５】
殺菌要否判定部１６は、操作回数カウント部１５によりカウントした操作回数が、フラットパネルディスプレイ６１の殺菌を要する規定値となった場合に、フラットパネルディスプレイ６１の殺菌を要すると判定する。
【００２６】
殺菌制御処理部１７は、表示装置６のフラットパネルディスプレイ６１の殺菌を要すると殺菌要否判定部１６により判定した場合に、表示装置６の殺菌装置６２を動作させて、フラットパネルディスプレイ６１の操作面ガラスを加熱して、当該操作面ガラスの殺菌処理を行なう。
【００２７】
表示制御部１９は、殺菌制御処理部１７により動作する殺菌装置６２による殺菌が終了した場合に、この旨を表示装置６のフラットパネルディスプレイ６１に表示させたり、乗客への案内表示用のメッセージなどを表示装置６のフラットパネルディスプレイ６１に表示させたりする。
【００２８】
次に、図１に示した構成のエレベータの動作について説明する。  
図４は、第１の実施形態におけるエレベータによる表示装置のタッチパネルディスプレイの殺菌のための動作手順の一例を示すフローチャートである。
【００２９】
まず、エレベータ制御装置１の操作回数カウント部１５は、記憶装置１２に記憶される操作回数のカウント値を初期化する（ステップＳ１０１）。この初期化は、前回の殺菌処理、つまり表示装置６の殺菌装置６２によるフラットパネルディスプレイ６１の操作面ガラス上の殺菌処理が完了した後になされるものである。ただし、表示装置６のフラットパネルディスプレイ６１の操作面ガラス上の殺菌処理が完了していない場合には、この操作面ガラス上の殺菌処理が完了するまでは、記憶装置１２に記憶される操作回数のカウント値の初期化はなされない。
【００３０】
そして、表示装置６のフラットパネルディスプレイ６１の操作面ガラス上への何らかの操作がなされた場合には（ステップＳ１０２）、エレベータ制御装置１の操作回数カウント部１５は、記憶装置１２に記憶される操作回数のカウント値を１増加させて更新する、操作回数インクリメント処理を行なう（ステップＳ１０３）。
【００３１】
そして、エレベータ制御装置１の運転制御部１４は、エレベータが休止中であるか、ここでは、呼び登録が登録されていない無方向待機状態であるか否かを判定する（ステップＳ１０４）。
【００３２】
運転制御部１４は、エレベータが休止中でないと判定した場合には（ステップＳ１０１のＮＯ）、乗客へのサービスを優先するために、呼び登録に応じた運転である、エレベータ通常運転処理を行う（ステップＳ１１３）。
【００３３】
一方、エレベータが休止中であると運転制御部１４が判定した場合には（ステップＳ１０１のＹＥＳ）、殺菌要否判定部１６は、記憶装置１２に記憶される、操作回数カウント部１５によりカウントした操作回数を参照し、この操作回数が、表示装置６のフラットパネルディスプレイ６１の操作面ガラス上の殺菌を要する一定値を超えたか否かを判定する（ステップＳ１０５）。
【００３４】
操作回数が、前述した一定値を超えていないと殺菌要否判定部１６により判定した場合には（ステップＳ１０５のＮＯ）、運転制御部１４は、呼び登録に応じた運転である、エレベータ通常運転処理を行う（ステップＳ１１３）。
【００３５】
一方、操作回数が一定値を超えていると殺菌要否判定部１６により判定した場合には（ステップＳ１０５のＹＥＳ）、殺菌制御処理部１７は、表示装置６の殺菌装置６２を動作させて、表示装置６のフラットパネルディスプレイ６１の操作面ガラス上の殺菌処理を開始する（ステップＳ１０６）。
【００３６】
そして、殺菌制御処理部１７は、この殺菌処理の開始から計時部１８により計時した経過時間が、表示装置６のフラットパネルディスプレイ６１の操作面ガラス上の殺菌が完了したとみなせる所定時間に達したか否かを判定する事で、殺菌が完了したか否かを判定する（ステップＳ１０７）。
【００３７】
この殺菌が完了したと判定される前に（ステップＳ１０７のＮＯ）、各階の乗り場の乗り場呼び登録装置に対する操作がなされていない場合には（ステップＳ１０８のＮＯ）、殺菌処理を続けるためにステップＳ１０３に戻る。
【００３８】
また、殺菌が完了したと判定される前に（ステップＳ１０７のＮＯ）、各階の乗り場の乗り場呼び登録装置に対する操作がなされて、運転制御部１４により乗り場呼びを登録した場合には（ステップＳ１０８のＹＥＳ）、乗客へのサービスを優先するために、殺菌制御処理部１７は、表示装置６の殺菌装置６２の動作を停止させて殺菌処理を中断する（ステップＳ１０９）。そして、運転制御部１４は、呼び登録に応じた運転である、エレベータ通常運転処理を行う（ステップＳ１１３）。
【００３９】
そして、乗り場呼び登録装置に対する操作がなされずに、この殺菌処理の開始から計時部１８により計時した経過時間が、表示装置６のフラットパネルディスプレイ６１の操作面ガラス上の殺菌が完了したとみなせる所定時間に達したことで、殺菌が完了したと殺菌制御処理部１７により判定した場合には（ステップＳ１０７のＹＥＳ）、表示装置６のフラットパネルディスプレイ６１の操作面ガラスが熱せられた状態となっている。
【００４０】
この場合、乗客の安全を考慮して、この操作面ガラスの温度が、乗客が安全に触れられる温度に自然冷却されるように、殺菌制御処理部１７は、待機処理を行ない、殺菌が完了したとの判定後に計時部１８により計時した時間が、操作面ガラスの温度が前述した安全な温度以下まで低下したとみなせる所定時間となったか否かを判定する（ステップＳ１１０，Ｓ１１１）。
【００４１】
操作面ガラスの温度が前述した安全な温度以下まで低下したとみなせる所定時間の経過前は（ステップＳ１１１のＮＯ）、殺菌制御処理部１７は、引き続き待機する。  
一方、操作面ガラスの温度が前述した安全な温度以下まで低下したとみなせる所定時間が経過したと殺菌制御処理部１７により判定した場合には、表示制御部１９は、表示装置６のフラットパネルディスプレイ６１の操作面ガラスの殺菌が終了したことを示すメッセージを表示装置６のフラットパネルディスプレイ６１に表示させる（ステップＳ１１２）。
【００４２】
図５は、第１の実施形態におけるエレベータによる表示装置のタッチパネルディスプレイの殺菌済みの報知のための表示例を示す図である。この例では、ディスプレイを殺菌した旨をその処理完了時刻が表示される。
【００４３】
この表示を行なった後は、運転制御部１４は、呼び登録に応じた運転である、エレベータ通常運転処理を行う（ステップＳ１１３）。このエレベータ通常運転処理後はＳ１０１に戻る。ただし、前述したように、表示装置６のフラットパネルディスプレイ６１の操作面ガラス上の殺菌処理が完了していない場合には、この操作面ガラス上の殺菌処理が完了するまでは、このＳ１０１である、記憶装置１２に記憶される操作回数のカウント値の初期化はなされずにＳ１０２に移る。
【００４４】
以上のように、第１の実施形態におけるエレベータでは、表示装置６のフラットパネルディスプレイ６１の操作面ガラスをエレベータの休止中に加熱する事で殺菌を行なうので、フラットパネルディスプレイ６１に対して不特定多数の人が触れて使用したとしても、タッチパネルの操作面上が汚れたり細菌が付着したりして不衛生な状態になってしまうことを避けることができる。
【００４５】
次に、第１の実施形態の変形例を説明する。  
前述した第１の実施形態では、表示装置６のフラットパネルディスプレイ６１の操作面ガラス上への操作回数が所定の回数となった場合に操作面ガラス上の殺菌を開始したが、この変形例では、前回の殺菌処理の終了時刻からの経過時間が所定の時間となった場合には、多数の乗客がフラットパネルディスプレイ６１の操作面ガラスに触れているとみなして、この操作面ガラスの殺菌を要すると判定するものである。
【００４６】
図６は、第１の実施形態の変形例におけるエレベータのエレベータ制御装置の機能構成例を示すブロック図である。  
図６に示すように、本実施形態におけるエレベータ制御装置１は、装置全体の動作を司る制御部１１、記憶装置１２、通信インタフェース１３、運転制御部１４、経過時間カウント部２１、操作回数カウント部１５、殺菌要否判定部１６、殺菌制御処理部１７、計時部１８、表示制御部１９を有する。図６に示した構成は、図３に示した構成と比較して、操作回数カウント部１５に代えて経過時間カウント部２１を有する点で異なる。
【００４７】
記憶装置１２は、不揮発性メモリなどの記憶媒体であり、通信インタフェース１３、運転制御部１４、経過時間カウント部２１、殺菌要否判定部１６、殺菌制御処理部１７、計時部１８、表示制御部１９による処理動作のためのプログラムを記憶する。  
経過時間カウント部２１は、表示装置６のフラットパネルディスプレイ６１の前回の殺菌の終了後から計時部１８により計時した時間をカウントする。
【００４８】
この変形例では、殺菌要否判定部１６は、経過時間カウント部２１によりカウントした経過時間が、フラットパネルディスプレイ６１の殺菌を要する所定時間規定値となった場合に、フラットパネルディスプレイ６１の殺菌を要すると判定する。
【００４９】
図７は、第１の実施形態の変形例におけるエレベータによる表示装置のタッチパネルディスプレイの殺菌のための動作手順の一例を示すフローチャートである。  
まず、エレベータ制御装置１の経過時間カウント部２１は、経過時間のカウント値を初期化する（ステップＳ１２１）。この初期化は、前回の殺菌処理、つまり表示装置６の殺菌装置６２によるフラットパネルディスプレイ６１の操作面ガラス上の殺菌処理が完了した後になされるものである。ただし、表示装置６のフラットパネルディスプレイ６１の操作面ガラス上の殺菌処理が完了していない場合には、この操作面ガラス上の殺菌処理が完了するまでは、経過時間の初期化はなされない。この後、表示装置６のフラットパネルディスプレイ６１の操作面ガラス上への何らかの操作がなされることになるが（ステップＳ１０２）、ここでは、特に処理は行わない。
【００５０】
そして、エレベータ制御装置１の運転制御部１４は、エレベータが休止中であるか、ここでは、呼び登録が登録されていない無方向待機状態であるか否かを判定する（ステップＳ１０４）。
【００５１】
運転制御部１４は、エレベータが休止中でないと判定した場合には（ステップＳ１０４のＮＯ）、乗客へのサービスを優先するために、呼び登録に応じた運転である、エレベータ通常運転処理を行う（ステップＳ１１３）。
【００５２】
一方、エレベータが休止中であると運転制御部１４が判定した場合には（ステップＳ１０４のＹＥＳ）、殺菌要否判定部１６は、経過時間カウント部２１によりカウントした経過時間を参照し、この経過時間が、表示装置６のフラットパネルディスプレイ６１の操作面ガラス上の殺菌を要する一定時間を超えたか否かを判定する（ステップＳ１２２）。
【００５３】
経過時間が、前述した一定時間を超えていないと殺菌要否判定部１６により判定した場合には（ステップＳ１２２のＮＯ）、運転制御部１４は、呼び登録に応じた運転である、エレベータ通常運転処理を行う（ステップＳ１１３）。
【００５４】
一方、経過時間が一定時間を超えていると殺菌要否判定部１６により判定した場合には（ステップＳ１２２のＹＥＳ）、殺菌制御処理部１７は、表示装置６の殺菌装置６２を動作させて、表示装置６のフラットパネルディスプレイ６１の操作面ガラス上の殺菌処理を開始する（ステップＳ１０６）。以降の動作は、第１の実施形態で説明したＳ１０６以降と同じである。そして、Ｓ１１３であるエレベータ通常運転処理後はＳ１２１に戻る。ただし、前述したように、表示装置６のフラットパネルディスプレイ６１の操作面ガラス上の殺菌処理が完了していない場合には、この操作面ガラス上の殺菌処理が完了するまでは、このＳ１２１である経過時間の初期化はなされずにＳ１０２に移る。
【００５５】
（第２の実施形態）
次に、第２の実施形態について説明する。なお、本実施形態におけるエレベータの構成のうち第１の実施形態と同一部分の説明は省略する。  
本実施形態では、表示装置のフラットパネルディスプレイの操作面パネル上をシートで覆い、シート１０２を介してフラットパネルディスプレイ６１の操作面ガラス上に触れるようにして、フラットパネルディスプレイ６１の操作面ガラスが直接触れられないようにしている。
【００５６】
ここで、シート１０２をフラットパネルディスプレイ６１の操作面ガラス上貼り付けて固定する構成では不特定多数の乗客による使用に耐えられないため、このシート１０２を使用する度に巻き取る構成としている。
【００５７】
また、この巻き取ったシート１０２を単に交換するのでは、ランニングコストが著しく増大してしまい、シートの交換作業も繁雑になるため、巻き取ったシート１０２を殺菌装置により殺菌してリユース（再利用）する構成としている。
【００５８】
図８は、第２の実施形態におけるエレベータの表示装置の構成例を示す図である。  
図８に示すように、表示装置６は、タッチパネル機能を備えた表示パネルであるフラットパネルディスプレイ６１を有する。また、フラットパネルディスプレイ６１の表面には図示しないタッチパネルセンサが設置される。このタッチパネルセンサの方式は、アナログ抵抗膜方式や静電容量方式などがあるが、特に限定されない。
【００５９】
また、フラットパネルディスプレイ６１の操作面ガラス上には、当該操作面ガラスをシート１０２が覆うようになっている。本実施形態では、乗客は、シート１０２を介してフラットパネルディスプレイ６１の操作面ガラス上に触れることでかご呼びの操作を行なうことができる。
【００６０】
このシート１０２はロール状に巻かれており、フラットパネルディスプレイ６１の上方に収納されている。このシート１０２は送り装置１０３と巻き取り装置１０４間にかけられており、送り装置１０３側から巻き取り装置１０４側に向かってシート１０２が送られる。
【００６１】
具体的には、このフラットパネルディスプレイ６１の下部には、シート１０２をフラットパネルディスプレイ６１の上方から下方に向かって巻き取るための巻き取り装置１０４が設けられる。
【００６２】
この巻き取られたシート１０２は、フラットパネルディスプレイ６１の下方に収納される。また、このフラットパネルディスプレイ６１の上部には、巻き取り装置１０４によるシート１０２の巻き取りに応じて当該シート１０２を送り出すための送り装置１０３が設けられる。
【００６３】
また、本実施形態では、巻き取り装置１０４とフラットパネルディスプレイ６１の間に、収納されていないシート１０２を加熱処理により殺菌するためのシート殺菌装置１０５が設けられている。このシート殺菌装置１０５は、加熱処理によってシートに付着した細菌を殺菌する。
【００６４】
図９は、第２の実施形態におけるエレベータのエレベータ制御装置の機能構成例を示すブロック図である。  
図９に示すように、本実施形態におけるエレベータ制御装置１は、装置全体の動作を司る制御部１１、記憶装置１２、通信インタフェース１３、運転制御部１４、シート回転制御部３１、シート使用状態計測部３２、殺菌要否判定部１６、殺菌制御処理部１７、使用回数カウント部３３、表示制御部１９を有する。
【００６５】
記憶装置１２は、不揮発性メモリなどの記憶媒体であり、通信インタフェース１３、運転制御部１４、シート回転制御部３１、シート使用状態計測部３２、殺菌要否判定部１６、殺菌制御処理部１７、使用回数カウント部３３、表示制御部１９による処理動作のためのプログラムを記憶する。
【００６６】
通信インタフェース１３は、第１の実施形態と同様に、巻上機２や表示装置６との間の通信処理を行なう。  
運転制御部１４は、第１の実施形態と同様に、呼び登録に応じて巻上機２を駆動させて乗りかご３の運転制御を行なう。
【００６７】
シート回転制御部３１は、送り装置１０３や巻き取り装置１０４を駆動させて、シート１０２を正方向に巻き取ったり、逆方向に巻き戻したりする。この正方向とは、送り装置１０３側から巻き取り装置１０４側への巻取り方向である。また、逆方向とは、一度巻き取り装置１０４側に巻き取ったシート１０２を当該巻き取り装置１０４側から送り装置１０３側へ巻き取る方向である。
【００６８】
シート使用状態計測部３２は、シート回転制御部３１による送り装置１０３や巻き取り装置１０４の駆動制御量をもとに、シート１０２の全体長のうち、使用されたシート１０２の長さ、ここでは、巻き取り装置１０４により巻き取られた部分の長さを常時計測し、この計測結果を記憶装置１２に記憶する。
【００６９】
殺菌要否判定部１６は、シート使用状態計測部３２により計測した、使用されたシート１０２の長さが、当該シート１０２の殺菌を要する規定値となった場合に、フラットパネルディスプレイ６１を覆うシートの逆方向への巻取りおよび当該シートの殺菌を要すると判定する。
【００７０】
殺菌制御処理部１７は、表示装置６のフラットパネルディスプレイ６１の殺菌を要すると殺菌要否判定部１６により判定した場合に、表示装置６の殺菌装置１０６を動作させて、収納されていないシート１０２を加熱して、当該シートの殺菌処理を行なう。
【００７１】
使用回数カウント部３３は、殺菌要否判定部１６により、シートの逆方向への巻取りおよび当該シートの殺菌を要すると判定したことによりシートの逆方向への巻取りがなされる毎に、シートがほぼ全長にわたって使用された、つまり乗客により触れられたとして、使用回数のカウント値を１増加させた値を記憶装置１２に記憶する事で、シートの操作回数をカウントする。
【００７２】
表示制御部１９は、殺菌制御処理部１７により動作する殺菌装置１０６による殺菌が終了した場合に、この旨を表示装置６のフラットパネルディスプレイ６１に表示させたり、乗客への案内表示用のメッセージなどを表示装置６のフラットパネルディスプレイ６１に表示させたりする。
【００７３】
図１０は、第２の実施形態におけるエレベータによる表示装置のタッチパネルディスプレイ上のシートの清掃のための動作手順の一例を示すフローチャートである。初期状態では、シート１０２は、全長にわたって清潔な状態であるとする。
【００７４】
まず、エレベータ制御装置１の運転制御部１４は、呼び登録に応じて、乗りかごの昇降を開始する（ステップＳ２００）。そして、呼び登録に応じて、乗りかごの昇降が終了すると（ステップＳ２０１）、エレベータ制御装置１のシート回転制御部３１は、送り装置１０３や巻き取り装置１０４を駆動させて、シート１０２を正方向に巻き取ることで、シート１０２における清潔な部分がフラットパネルディスプレイ６１の操作面ガラス上を覆うように位置させる（ステップＳ２０２）。
【００７５】
この巻取り量は、シート１０２における巻き取られていない露出部分の長手方向の長さであって、この巻取りにより、巻取り前に露出していた部分が巻き取り装置１０４側に巻き取られて露出されないようになる。
【００７６】
つまり本実施形態では、呼び登録に応じた走行が一度なされるたびに、シートが巻き取られるので、走行終了後は、清潔な状態のシートが表示装置６のフラットパネルディスプレイ６１の操作面ガラス上に露出することになる。
【００７７】
そして、表示制御部１９は、表示装置６のフラットパネルディスプレイ６１の操作面ガラス上のシートを清潔な状態の部分へ入れ替えたことを終了したことを示すメッセージを表示装置６のフラットパネルディスプレイ６１に表示させる（ステップＳ２０３）。
【００７８】
図１１は、第２の実施形態におけるエレベータによる表示装置のタッチパネルディスプレイ上のシートの入れ替え済みの報知のための表示例を示す図である。この例では、シート１０２を清潔な部分に入れ替えた旨とその処理完了時刻が表示される。
【００７９】
この表示を行なった後は、シート使用状態計測部３２は、シート１０２の全体長のうち、使用されたシート１０２の長さ、ここでは、巻き取り装置１０４により巻き取られた部分の長さの計測結果を記憶装置１２から読み出す。
【００８０】
そして、殺菌要否判定部１６は、シート使用状態計測部３２により読み出された、使用されたシート１０２の長さが、当該シート１０２を殺菌および再利用を要する一定値以上となったか否かを判定する（ステップＳ２０４）。
【００８１】
シート使用状態計測部３２により計測した、使用されたシート１０２の長さが、当該シート１０２を殺菌および再利用を要する一定値以上となっていないと、殺菌要否判定部１６により判定した場合は（ステップＳ２０４のＮＯ）、殺菌済みのシートのロールが一定量以上残っているため、そのままエレベータの使用頻度に合わせてシート１０２を正方向に送りながら運転を続けることができる。よって、Ｓ２０１に戻って、エレベータ制御装置１の運転制御部１４は、呼び登録に応じて、乗りかごの昇降を制御する。
【００８２】
一方、シート使用状態計測部３２により計測した、使用されたシート１０２の長さが、当該シート１０２を殺菌および再利用を要する一定値以上となっていると、殺菌要否判定部１６により判定した場合は（ステップＳ２０４のＹＥＳ）、殺菌要否判定部１６は、殺菌済みのシートのロールが残り少ないため、このシート１０２を逆方向に巻き取りながら殺菌を行なうことで、このシート１０２を後に再利用する必要があると判定する。
【００８３】
この場合、エレベータ制御装置１の運転制御部１４は、エレベータが休止中であるか、ここでは、呼び登録が登録されていない無方向待機状態であるか否かを判定する（ステップＳ２０５）。
【００８４】
運転制御部１４は、エレベータが休止中でないと判定した場合には（ステップＳ２０５のＮＯ）、乗客へのサービスを優先するために、シート１０２を逆方向に巻き取りながらの殺菌を見送り、呼び登録に応じて、乗りかごの昇降を開始する（ステップＳ２０６）。そして、呼び登録に応じて、乗りかごの昇降が終了すると（ステップＳ２０７）、エレベータ制御装置１のシート回転制御部３１は、送り装置１０３や巻き取り装置１０４を駆動させて、シート１０２を正方向に巻き取り（ステップＳ２０８）、Ｓ２０６に戻る。
【００８５】
このように、殺菌要否判定部１６により、このシート１０２を逆方向に巻き取りながら殺菌を行なう必要があると判定しても、エレベータが休止中でない場合には、運転にあわせてシート１０２を巻き取っていくことを優先し、シート１０２を逆方向に巻き取りながらの殺菌を見送り、呼び登録に応じて、乗りかごの昇降およびシート１０２を正方向に巻き取る。このため、殺菌要否判定部１６により、このシート１０２を逆方向に巻き取りながら殺菌を行なう必要があるか否かの判定の一定値は、シートの全長よりある程度短い長さとする。
【００８６】
一方、エレベータが休止中であると運転制御部１４が判定した場合には（ステップＳ１０５のＹＥＳ）、殺菌制御処理部１７は、表示装置６の殺菌装置１０６を動作させて、表示装置６のフラットパネルディスプレイ６１を覆うシート１０２の殺菌処理を開始する（ステップＳ２０９）。
【００８７】
そして、エレベータ制御装置１の操作回数カウント部１５は、記憶装置１２に記憶されるシートの使用回数のカウント値を１増加させて更新する、シートリユースカウンタインクリメント処理を行なう（ステップＳ２１０）。これにより、シートのリユースした回数を積算することができる。
【００８８】
そして、殺菌装置１０６による殺菌処理を継続させた状態で、エレベータ制御装置１のシート回転制御部３１は、送り装置１０３や巻き取り装置１０４を駆動させて、シート１０２の逆方向への巻き取りを開始する（ステップＳ２１１）。これにより、正方向に一度巻き取ったシート１０２を殺菌しながら、この殺菌したシート１０２を元の巻取り前の状態に戻して、当該シート１０２を殺菌された状態でフラットパネルディスプレイ６１の操作面を覆うように位置させることができるので、この巻き取ったシート１０２は、殺菌済みシートとして必要時に正方向に巻き取りながら再使用することができるようになる。
【００８９】
シート使用状態計測部３２は、シート１０２が最初まで巻き戻された否かを計測する。このシート１０２の逆方向への巻き取りを開始後に、シート１０２が最初まで巻き戻しされる前に、各階の乗り場の乗り場呼び登録装置に対する操作がなされて、運転制御部１４により乗り場呼びを登録した場合には（ステップＳ２１２のＹＥＳ）、乗客へのサービスを優先するために、殺菌制御処理部１７は、シート回転制御部３１は、シート１０２の逆方向への巻き取りを中断し、かつ、殺菌制御処理部１７は、表示装置６の殺菌装置１０６の動作を停止させて、殺菌処理を中断し、Ｓ２００へ戻る。これにより、シート１０２が走行に伴って正方向に再び巻き取られることになる。
【００９０】
そして、乗り場呼び登録装置に対する操作がなされずに（ステップＳ２１２のＮＯ）、シート１０２が最初まで巻き戻しされた、つまり、シート１０２の全部が清潔な状態となったことをシート使用状態計測部３２により計測し場合は（ステップＳ２１３のＹＥＳ）、使用回数カウント部３３は、記憶装置１２に記憶された使用回数のカウント値を読み出して、このカウント値、つまりリユース回数が、シート１０２の交換寿命を示す規定回数以上であるか否かを判定する（ステップＳ２１４）。
【００９１】
使用回数カウント部３３により読み出したカウント値が、シート１０２の交換寿命を示す規定回数以上でない場合には（ステップＳ２１４のＮＯ）、シート１０２の交換は不要であり、かつ、このシート１０２は最初まで巻き戻されて、当該シート１０２の全部が清潔な状態となっているので、表示制御部１９は、表示装置６のフラットパネルディスプレイ６１の操作面ガラス上のシートが殺菌済であるしたことを示すメッセージを表示装置６のフラットパネルディスプレイ６１に表示させる（ステップＳ２１５）。
【００９２】
また、使用回数カウント部３３により読み出した、カウント値、シート１０２の交換寿命を示す規定回数以上である場合には（ステップＳ２１４のＹＥＳ）、シート１０２の寿命であり、当該シート１０２を新しいものに交換する必要であるので、表示制御部１９は、表示装置６のフラットパネルディスプレイ６１の操作面ガラス上のシートを代替シートに交換することの手配を作業員に促すためのメッセージを表示装置６のフラットパネルディスプレイ６１に表示させる（ステップＳ２１６）。
【００９３】
図１２は、第２の実施形態におけるエレベータによる表示装置のタッチパネルディスプレイ上のシートの代替え指示の報知のための表示例を示す図である。  
そして、表示制御部１９は、表示装置６のフラットパネルディスプレイ６１の操作面ガラス上のシートの殺菌が終了したことを示すメッセージを表示装置６のフラットパネルディスプレイ６１に表示させる（ステップＳ２１５）。
【００９４】
以上のように、第２の実施形態におけるエレベータでは、表示装置６のフラットパネルディスプレイ６１の操作面ガラスを覆うシートを運転ごとに巻き取って清潔に保ち、かつ、シートを使用した後で、このシートを巻き戻しながらエレベータの休止中に加熱する事で殺菌を行なうので、フラットパネルディスプレイを覆うシート対して不特定多数の人がふれて使用したとしても、このシート上に細菌が付着して、不衛生な状態になってしまうことを避けることができる。
【００９５】
これらの各実施形態によれば、タッチパネル式のディスプレイ装置の操作面を清潔にすることが可能になるエレベータを提供することができる。  
発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９６】
１…エレベータ制御装置、２…巻上機、３…乗りかご、４…釣合い重り、５…かごドア、６…表示装置、１１…制御部、１２…記憶装置、１３…通信インタフェース、１４…運転制御部、１５…操作回数カウント部、１６…殺菌要否判定部、１７…殺菌制御処理部、１８…計時部、１９…表示制御部、２１…経過時間カウント部、６１…タッチパネルディスプレイ、６２…殺菌装置、１０２…シート、１０３…送り装置、１０４…巻き取り装置、１０５…シート殺菌装置。
【図１】
2013245090.tif 000003
【図２】
2013245090.tif 000004
【図３】
2013245090.tif 000005
【図４】
2013245090.tif 000006
【図５】
2013245090.tif 000007
【図６】
2013245090.tif 000008
【図７】
2013245090.tif 000009
【図８】
2013245090.tif 000010
【図９】
2013245090.tif 000011
【図１０】
2013245090.tif 000012
【図１１】
2013245090.tif 000013
【図１２】
2013245090.tif 000014